(57)【特許請求の範囲】
【請求項１】
互いに隣接するよう設置される第１及び第２の発熱手段を制御するとともに、前記隣接して配置される前記第１及び第２の発熱手段間に位置して配置されるコントローラ本体と、
前記コントローラ本体に形成された操作面部と、
前記操作面部に設けられ、前記第１の発熱手段の運転状態を制御する第１の操作キー群と、
前記操作面部に設けられ、前記第２の発熱手段の運転状態を制御する第２の操作キー群とを有し、
前記第１の操作キー群と前記第２の操作キー群とは、同一の機能を有する、前記発熱手段の通電をオンオフする電源キー、前記発熱手段による床暖房の室内温度設定を行う温度設定キー、タイマー床暖房運転をオンオフするタイマー運転操作キー同士をそれぞれ含み、前記電源キー、前記温度設定キー、前記タイマー運転操作キー同士が前記操作面部の左右幅方向中心を対称軸として、左右幅方向外側に前記温度設定キーが位置し、当該温度設定キーの内側に位置して前記電源キーおよび前記タイマ運転操作キーが位置して左右に線対称的に配置され、
前記第１の発熱手段と、当該第１の操作キー群の、前記電源キー、前記温度設定キー、前記タイマー運転操作キーとが同方向に位置するように配置され、
前記第２の発熱手段と、当該第２の操作キー群の、前記電源キー、前記温度設定キー、前記タイマー運転操作キーとが同方向に位置するように配置されてなるとともに、
前記操作キー群を構成する操作キーは押操作部からなるものであることを特徴とする床暖房用コントローラ装置。
【請求項２】
前記電源キーおよび／または温度設定キーは、押操作される押操作部が、他の操作キーにおける押操作部と異なる色で着色がされることを特徴とする請求項１に記載の床暖房用コントローラ装置。
【請求項３】
更に、前記第１の操作キー群の操作キーが線対称的に配置されている前記操作面部の領域と、前記第２の操作キー群の操作キーが線対称的に配置されている前記操作面部の領域とは、それぞれ異なる色で着色されることを特徴とする請求項１または請求項２に記載の床暖房用コントローラ装置。
【請求項４】
更に、前記第１の操作キー群の操作キーが線対称的に配置されている前記操作面部の領域と、前記第２の操作キー群の操作キーが線対称的に配置されている前記操作面部の領域とは、前記操作面部の色とは異なる色を用いて引かれた着色線によって区分けされることを特徴とする請求項１ないし請求項３のいずれか一つに記載の床暖房用コントローラ装置。
【請求項５】
更に、前記第１の操作キー群の操作キーが線対称的に配置されている前記操作面部の領域と、前記第２の操作キー群の操作キーが線対称的に配置されている前記操作面部の領域とは、凸条または凹条によって区分けされることを特徴とする請求項１ないし請求項４のいずれか一つに記載の床暖房用コントローラ装置。
【発明の詳細な説明】
【技術分野】
【０００１】
本発明は、床下に設けられた発熱手段によって室内を暖める床暖房装置に用いられる床暖房用コントローラ装置に関する。
【背景技術】
【０００２】
近年では一戸建てやマンションの住宅において、足元から十分に暖めることが可能な床暖房装置が多く用いられるようになった。また、複数の部屋を床暖房する場合や、床面積の大きい部屋を床暖房する場合においては、それぞれの部屋の床下、あるいは大きい部屋をいくつかに区分けしたうえで（以下、この区分をゾーンと称する）、各ゾーンの床下にそれぞれ発熱手段を設けることによって複数のゾーンをそれぞれ床暖房することも行われている。
【０００３】
発熱手段としては一般的に、電気ヒータに通電を行い加熱する方法、あるいは床下に設置した配管内に温水を流して室内を暖める方法が採用される。本発明では以下、電気ヒータを用いた場合について述べるが、本発明の趣旨を逸脱するものでなければ異なる発熱手段を採用しても構わない。
通常、こうした複数のゾーンの床暖房に用いられる床暖房用コントローラ装置はそれぞれゾーン毎に設置されるが、隣接する複数のゾーン、特にひと続きとなるリビングルームやダイニングルームを床暖房する場合、そのレイアウトを活用して、１台の床暖房用コントローラ装置で、隣接する２つのゾーンの運転状態を制御することによる低コスト化が進められている。例えば左側がリビングルームで、右側がダイニングルームになっている居室の場合、そのリビングルームとダイニングルームの境界となる通路や部屋などの壁面に、リビングルーム用の操作キー群と、ダイニングルーム用の操作キー群とを有したコントローラ本体を据付けることが行われる。
【０００４】
このような床暖房用コントローラ装置は、コントローラ本体の前面側に操作面部を形成し、この同一操作面部上に、床暖房されるゾーン毎、床暖房運転をオンオフする操作キーや床暖房の温度設定を行う操作キーや、さらには床暖房のタイマーをオンオフする操作キーなどといった複数種の操作キーを設けたものが一般的に用いられている。これらは従来、特許文献１の図３に示されるように操作面部に、同一の機能の操作キーを１箇所に集中してレイアウトするなど、各ゾーンの操作キーを混在して操作面部上に配置した構造となっていた。
【特許文献１】特開平８−２７０９７２号公報
【発明の開示】
【発明が解決しようとする課題】
【０００５】
ところで、床暖房用コントローラ装置は、子供から年配の人のだれでもが、リビングルームやダイニングルームで床暖房を必要とするとき、すぐさま、求む部屋の床暖房運転をオンさせたり、同じく温度設定を変えたり、同じくタイマーをオンさせたりすることが求められる。
このため、床暖房用コントローラ装置はだれでもが容易に、２つの部屋の床暖房運転の操作を使い分けられるようにすることが要求される。
【０００６】
ところが、特許文献１のような２つのゾーンの床暖房を操作する操作キーを操作面部上に混在させただけのコントローラ装置は、一見しただけでは、どの操作キーがリビングルーム用なのか、あるいはダイニングルーム用なのかを判別しにくい。特に各ゾーンの同一機能の操作キーは同一の大きさや形状の操作キーが用いられる傾向にあるため、より一層判別しにくいものとなっている。このため、操作する人によっては操作の際にまごつくことも多く、操作性の点に問題がある。
【０００７】
本発明の目的は、だれでもが２つのゾーンの床暖房操作の使いわけを、まごつかずに直感的に行える床暖房用コントローラ装置を提供することにある。
【課題を解決するための手段】
【０００８】
上記目的を達成するために、請求項１に記載の発明は、第１の発熱手段の運転状態を制御する第１の操作キー群と、第２の発熱手段の運転状態を制御する第２の操作キー群とは、同一の機能を有する、発熱手段の通電をオンオフする電源キー、発熱手段による床暖房の室内温度設定を行う温度設定キー、タイマー床暖房運転をオンオフするタイマー運転操作キー同士をそれぞれ含み、電源キー、温度設定キー、タイマー運転操作キー同士が操作面部の左右幅方向中心を対称軸として、左右幅方向外側に温度設定キーが位置し、当該温度設定キーの内側に位置して電源キーおよびタイマ運転操作キーが位置して左右に線対称的に配置され、第１の発熱手段と当該第１の操作キー群の、電源キー、温度設定キー、タイマー運転操作キーとが同方向に位置するように配置され、第２の発熱手段と当該第２の操作キー群の、電源キー、温度設定キー、タイマー運転操作キーとが同方向に位置するように配置され、操作キー群を構成する操作キーが押操作部からなるものとした。
【０００９】
同構成により、同一の機能を有する、第１の発熱手段用の操作キーと第２の発熱手段用の操作キーは、操作面部の両側に、それぞれ発熱手段に対応して分かりやすく区別が付ように線対称的に配置される。これにより、同一機能をもつ操作キー同士でも、一見して、つまり視覚的に、どちらの発熱手段用の操作キーであるかの判別がつく。
【００１０】
請求項２に記載の発明は、一層、操作キーを判別しやすくするよう、利用頻度の高い操作キーは、押操作される押操作部を、他の操作キーにおける押操作部と異なる色で着色した。
請求項３に記載の発明は、さらに線対称的に配置した操作キーが、第１の発熱手段用か第２の発熱手段用かどちらの系統であるかを判別しやすくするために、線対称的に配置された第１の操作キー群の操作キーが配置されている操作面部の領域と、第２の操作キー群の操作キーが配置されている操作面部の領域とを、それぞれ異なる色で着色した。
【００１１】
請求項４に記載の発明は、同じく、線対称的に配置された第１の操作キー群の操作キーが配置されている操作面部の領域と、線対称的に配置された第２の操作キー群の操作キーが配置されている操作面部の領域とを、操作面部の色とは異なる色を用いて引かれた着色線によって区分けした。
請求項５に記載の発明は、同じく、線対称的に配置された第１の操作キー群の操作キーが配置されている操作面部の領域と、線対称的に配置された第２の操作キー群の操作キーが配置されている操作面部の領域とを、凸条または凹条で区分けした。
【発明の効果】
【００１２】
請求項１の発明によれば、同一の機能を有する第１の発熱手段用の操作キーと第２の発熱手段用の操作キーとは、線対称的なレイアウトにより、操作面部の両側に、それぞれの発熱手段に対応して解りやすく配置される。これにより、一見してどちらの発熱手段用の操作キーであるかの判別ができる。
したがって、だれでもが１台のコントローラ装置で、２つの発熱手段の床暖房操作の使い分けを、まごつかずに直感的に行うことができる。
【００１３】
特に利用頻度の高い操作キーのみが線対称的に配置されるので、日常的な利用における利便性の観点からは特に有効である。
請求項２の発明によれば、利用頻度の高い操作キー、利用頻度の低いその他の操作キーはそれぞれ色分けされるので、頻繁に利用する２つの発熱手段を操作するための操作キーが色覚的に判別しやすくなる。これにより、だれでもコントローラ装置を用いて、まごつかず、直感的なキー操作で、２つの発熱手段による床暖房運転ができる。
【００１４】
請求項３の発明によれば、さらに、２つの発熱手段毎に、同一機能をもつ操作キーは背景色の違いから視覚的により判別しやすくなるので、より一層まごつかず、直感的なキー操作で、２つの発熱手段による床暖房の使い分けができる。
請求項４，５の発明によれば、２つの発熱手段毎に、同一機能をもつ操作キーは、着色線や、凸条または凹条による区切りにより、一層、当該操作キーが設けられた場所が明確に表せるので、より一層まごつかず、直感的なキー操作で、２つの発熱手段による床暖房の使い分けができる。
【発明を実施するための最良の形態】
【００１５】
以下、本発明を図１〜図５に示す第１の実施形態にもとづいて説明する。
図１は、一般住宅の部屋のうち、隣接する２つのゾーン、例えばひと続きのリビングルームαとダイニングルームβとを床暖房する床暖房装置の全体構成を示している。なお、図１中の左側に示すリビングルームαと右側に示すダイニングルームβは、例えば双方の境界に壁部２が有り、同壁部２の一部に形成した通路３から行き来が行われるひと続きの部屋となっている。
【００１６】
床暖房装置は、例えば、リビングルームαの床下に設置された電気式のパネルヒータ５（本願の第１の発熱手段に相当）と、ダイニングルームβの床下に設置された電気式のパネルヒータ６（本願の第２の発熱手段に相当）と、左右のルームα，βの境界、例えば通路３を形成する壁面３ａに据付けた１台の床暖房用コントローラ装置８（以下、コントローラ装置８という）とから構成された電気パネル式の構造が用いられている。
【００１７】
このうちコントローラ装置８としては、１台で、リビングルームαとダイニングルームβとの両方の床暖房制御が行える２ｃｈ型のコントローラが用いられている。このコントローラ装置８は、図２に拡大して示されるようにコントローラ本体１０に、リビングルームαのパネルヒータ５の運転を制御する操作キー群Ｘ（本願の第１の操作キー群に相当）とダイニングルームβのパネルヒータ６の運転を制御する操作キー群Ｙ（本願の第２の操作キー群に相当）を設ける構造が用いられている。
【００１８】
具体的には、コントローラ本体１０は、例えば、壁面３ａに埋め込まれる箱形のハウジング部１１と、壁面３ａに沿って外部に配置された表面パネル部１２と、同表面パネル部１２の前面に設けた横開き式の前面カバー部１３とを有している。なお、表面パネル部１２は、ハウジング部１１の前面側に形成されている。このうちハウジング部１１内には、リビングルームαとダイニングルームβにそれぞれ対応する、２系統の電源端子（図示しない）や同２系統のヒータ端子（図示しない）が、２系統の通電回路を搭載した電源ボード（図示しない）と共に収められている。そして、２系統の電源端子には、家庭用の個別のブレーカ（図示しない）から壁面３ａの内側へ配線された電源ケーブル１５ａ，１５ｂがそれぞれ接続される。また２系統のヒータ端子には、リビングルームαのパネルヒータ５やダイニングルームβから延びたヒータケーブル１６ａ，１６ｂがそれぞれ接続されていて、２系統の通電回路を通じて、系統別に、電源端子からヒータ端子へ通電が行われるようにしている。
【００１９】
表面パネル部１２は、上側に、例えば表示窓２０を有し、その表示窓２０の下側に平坦な操作面部２２を有している。また表面パネル部１２の内部には、例えば、時計機能が付いた制御回路部（図示しない）や室温センサー（図示しない）や液晶表示式の表示モジュール部（図示しない）や多数の操作キーオンオフ部（図示しない）が搭載された表示ボード（図示しない）が収められている。表示ボードは、電源ボードと接続される。同表示ボードの表示モジュール部の液晶表示部は、表示パネル部１２の表示窓２０に臨み、操作面部２２の上側に、温度設定レベル表示や時刻表示やヒータ通電中の表示やタイマー運転表示などの情報表示を行う表示部２５を形成している。多数の操作キーオンオフ部は、操作面部２２に形成されている多くのキー押操作部２７（本願の押操作部に相当）に臨み、操作面部２２上に、２系統（リビングルームα，ダイニングルームβ）の床暖房装置の操作に求められる多くの操作キーを構成している。またキー押操作部２７の一部は、前面カバー部１３に形成してある副キー押操作部２７ａに臨み、前面カバー部１３の表面で形成される副操作面部２２ａ（本願の操作面部にも相当）上にも操作キーを構成している。これら操作キーから、コントローラ本体１０の前面側、すなわち操作面部２２や副操作面部２２ａに上記操作キー群Ｘ，Ｙ（本願の第１の操作キー群、第２の操作キー群に相当）を形成している。
【００２０】
これら操作キー群Ｘ，Ｙのうち、リビングルームαの床暖房に必要な操作を行う操作キー群Ｘは、複数種の操作キー、具体的には操作面部２２上の、床暖房運転をオンオフする運転操作キー３０（本願の第１の発熱手段の通電をオンオフする電源キーに相当）や、リビングルームαの床温度を調整する温度設定操作キー３２（本願の室内温度設定を行う温度設定キーに相当）や、タイマー床暖房運転をオンオフするタイマー運転操作キー３４や、副操作面部２２ａ上の、床暖房運転をオンオフする副運転操作キー３０ａ（図４に図示：本願の第１の発熱手段の通電をオンオフする電源キーに相当）などから構成してある（いずれも本願の第１の操作キーに相当）。ダイニングルームβの床暖房に必要な操作を行う操作キー群Ｙも、操作面部２２上の複数の操作キー、具体的には床暖房運転をオンオフする運転操作キー４０（本願の第２の発熱手段の通電をオンオフする電源キーに相当）や、ダイニングルームβの床温度を調整する温度設定操作キー４２（本願の室内温度設定を行う温度設定キーに相当）や、タイマー床暖房運転をオンオフするタイマー運転操作キー４４や、副操作面部２２ａ上の、床暖房運転をオンオフする副運転操作キー４０ａ（本願の第２の発熱手段の通電をオンオフする電源キーに相当）などから構成してある（いずれも本願の第２の操作キーに相当）。つまり、操作キー群Ｘ，Ｙは、いずれの部屋における床暖房を対象として行うかは異なるにせよ、同一の機能の操作キーを多く含んでいる。なお、操作面部２２には、この他、２系統に共通機能な操作キーとして、リビングルームαやダイニングルームβの床暖房のタイマー時刻設定を行うためのタイマー設定操作キー３６や現在時刻の調整を行うための時計操作キー４８が設けてある。
【００２１】
これら操作キー群Ｘ，Ｙのうち、運転操作キー３０，４０や温度設定操作キー３２，４２やタイマー運転操作キー３４，４４は、利用頻度が高いので、１キーで操作可能に構成されている。このうち特に利用頻度が高い運転操作キー３０，４０および温度設定操作キー３２，４２は主操作キーとなる。また、それ以外のタイマー設定操作キー３６や時計操作キー４８は、比較的利用頻度が低いので、他の操作キーを共用して、タイマー設定や時計の時刻調整の操作が行えるものとしてある。例えば、タイマーの設定操作は、タイマー設定操作キー３６を押操作してからタイマー運転操作キー３４あるいはタイマー運転操作キー４４を押操作すると、いずれかのゾーンのタイマー設定モードに切り換わるとともに、温度設定操作キー３２，４２が「時」や「分」を設定するキーに変わり、選択したゾーンのタイマー運転の設定に必要な時刻などの入力が行える。時計の時刻調整は、時計操作キー４８を押操作すると、２系統の温度設定操作キー３２，４２が「時」や「分」を設定するキーに変わり、時計の時刻調整が行える。
【００２２】
制御回路部（図示しない）には、操作キーを通じて入力される２系統の設定温度（床温度）にしたがい、室温センサーで検出される室温に基づき、通電回路を通じ、ヒータパネル５やヒータパネル６の通電制御を行う機能が設定されていて、通常運転でもタイマー運転でも、所定に床暖房が行えるようにしている。
一方、操作キー群Ｘ，Ｙには、判別しやすいレイアウトが採用されている。その操作面部２２上におけるキー配置が図３に示してあり、その副操作面部２２ａ上におけるキー配置が図４に示してある。
【００２３】
同操作キー配置を説明すると、２系統（リビングルームα、ダイニングルームβ）の操作キー群Ｘ，Ｙのうち、混同しやすい同一の機能を有する主操作キー同士は、操作面部２２や副操作面部２２ａの左右幅方向中心を対称軸δとして、被暖房対象となる左右のリビングルームα側とダイニングルームβ側に対して、左右線対称にレイアウトさせてある。特に利用頻度の高い操作キーを対象に線対称にレイアウトさせている。
【００２４】
具体的には、図２および図３に示されるように同一の機能を有する操作キー同士のうち、利用頻度の高い操作キー、すなわち、図中に三角形状として示されたリビングルームα用の上下一対（＋／−）の温度設定操作キー３２と、同じくダイニングルームβ用の上下一対（＋／−）の温度設定操作キー４２とは、対称軸δを境に、操作面部２２上において最も離れた左右の端側の地点に線対称で配置してある。温度設定操作キー３２，４２と同等の利用頻度であり、図中に四角形状に示された操作キー、すなわちリビングルームα用の運転操作キー３０と、同じくダイニングルームβ用の運転操作キー４０とは、それら温度設定操作キー３２，４２から内側、すなわち操作面部３０の下部分に線対称で配置してある。同じく、「Ａ」表記されたリビングルームα用のタイマー運転操作キー３４と、「Ｂ」表記されたダイニングルームβ用のタイマー運転操作キー４４とは、運転操作キー３０，４０の上側に線対称で配置してある。また図４に示されるように、副操作面部２２ａ上のリビングルームα用の副操作キー３０ａと、同じくダイニングルームβ用の副操作キー４０ａとは、運転操作キー３０，４０の配置をそのまま利用して、左右に線対称で配置してある。その他の比較的利用頻度の低い、タイマー設定操作キー３６や時計操作キー４８は２系統で共通な１キーなので、それぞれタイマー運転操作キー３４，４４間、運転操作キー３０，４０間に配置して、線対称でレイアウトした頻度の高い操作キーとは区別させている。なお、図２および図３中の５０，５１は、運転操作キー３０，４０のインジケータランプ、５２，５３は、タイマー運転操作キー３４，４４のインジケータランプを示す。
【００２５】
こうした線対称的なレイアウトによって、混同しやすい同一機能を有する２系統の主操作キー、特に利用頻度の高い操作キー３０，３０ａ，３２と操作キー４０，４０ａ，４２は、それぞれパネルヒータ５，６と同方向に配置され、リビングルームαやダイニングルームβといった２つのゾーンに対応して、視覚的に両者をはっきり区別することが可能である。すなわち、この線対称的なレイアウトにより、混同しやすい２系統の同一機能をもつ各主操作キーを、視覚的な認識から直感的に判別されるようにしている。
【００２６】
また図３に示されるように操作面部２２上の操作キー３０，３２，３４が配置されている例えば左側の二点鎖線で囲まれた領域Ｓと、操作キー４０，４２，４４が配置されている例えば右側の二点鎖線で囲まれた領域Ｔとは、それぞれ異なる色で着色されていて、２系統（リビングルームαの床暖房、ダイニングルームβの床暖房）の同一機能の主操作キーの判別が、左右対称のレイアウトだけでなく、色覚的にも行われるようにしてある。
【００２７】
同じ理由で、図４に示されるように副操作面部２２ａ上の操作キー３０ａが配置されている左側の二点鎖線で囲まれた領域Ｕと、操作キー４０ａが配置されている右側の二点鎖線で囲まれた領域Ｖもそれぞれ異なる色で着色してある。しかも、一層判別しやすくなるとの配慮から、操作面部２２上の領域Ｓと領域Ｔは、それぞれ二点鎖線に沿って引かれた、領域Ｓ，Ｔの着色された色とは異なる色着色線Ｌによって区分けしてある。特に図４に示されるように副操作面部２２ａでは、図５に示されるように領域Ｕと領域Ｖとの境界に設けた一対の凸条５５により区分けして、リビングルームαを床暖房する副運転操作キー３０ａとダイニングルームβを床暖房する副運転操作キー４０ａとが設けられた領域を明確にしてある。
【００２８】
加えて、操作面部２２，２２ａ上の操作キー３０，３０ａ，３２，３４，３６，４０，４０ａ，４２，４４、４８のうち、利用頻度の高い操作キー３０，３０ａ，３２，４０，４０ａ，４２の各キー押操作部２７は、他の比較的利用頻度の低い操作キー３６，４８の各キー押操作部２７とは異なる着色が施されていて、この色分けにより、利用頻度の高い各種操作キーを色覚的にも認識しやすくする措置も講じてある。
【００２９】
つぎに、このように構成されたコントローラ装置８の作用を説明する。
今、例えばリビングルームαを床暖房するとする。このときは、リビングルームαだけの床暖房運転を開始すればよい。
このとき、リビングルームαの床暖房運転を開始する副運転操作キー３０ａや運転操作キー３０は、床暖房しようとするリビングルームα側に対応して、左右線対称に配置され、反対側のダイニングルームβの副運転操作キー４０ａや運転操作キー４０とは距離をおいて隔ててある。つまり、リビングルームα用操作キーは、線対称の配置によって、反対側のダイニングルームβ用の同じ機能の操作キーからは区別されるうえ、リビングルームα側から操作しやすい地点に配置される。
【００３０】
これにより、利用者は、この線対称がもたらすレイアウトの違いから、一見してリビングルームα用の操作キー、ここでは副運転操作キー３０ａや運転操作キー３０がどの操作キーであるかが判別できる。
特に、利用頻度の多い副運転操作キー３０ａや運転操作キー３０は、利用頻度の低い操作キー３６，４８と色分けされているうえ、副運転操作キー３０ａや運転操作キー３０が所在する操作面部２２や副操作面部２２ａの背景色が、ダイニングルームβ用の当該操作キーが所在する部位の背景色と異なるよう着色されたり、着色線Ｌや凸条５５で区分けされたりしているので、たとえ副運転操作キー３０ａや運転操作キー３０が、ダイニングルームβ用の操作キーと同一の大きさや同じ形状であったとしても、利用者は、これらの差異を手掛かりとして、色覚的にリビングルームαの副運転操作キー３０ａ、運転操作キー３０がどの操作キーであるかが判別できる。
【００３１】
こうした構成により、利用者は、まごつかずに、直感的な操作で、リビングルームαの床暖房運転を開始できる。
具体的には、図４に示されるような前面カバー１３が閉じているときは、利用者は床暖房運転しようとするリビングルームα側に配置されている副運転操作キー３０ａを押操作すればよい。これに対し図３に示されるように前面カバー１３が開いて、操作面部２２が表れているときは、床暖房運転しようとするリビングルームα側に配置されている運転操作キー３０を押操作すればよい。
【００３２】
同様に、リビングルームαの床暖房運転を開始するときに限らず、リビングルームαの床暖房運転を停止するとき、タイマー運転操作キー３４を操作してリビングルームαの床暖房のタイマー運転を開始させたり停止させたりするとき、また、温度設定操作キー３２を操作してリビングルームαの設定温度を調整したりするときにおいても利用者は操作キーの配置および着色によって直感的な操作が可能となる。もちろん、ダイニングルームβを床暖房するときも同様である。
【００３３】
したがって、２系統の操作キーＸ，Ｙのうち、同一機能の主操作キーを線対称的に配置するという構造により、床暖房を操作するにあたって操作面部２２上や副操作面部２２ａ上のどの操作キーを操作すれば良いかが明確となるので、利用者のだれでもが、１台のコントローラ装置８で、２つのゾーン（リビングルームα、ダイニングルームβ）の床暖房操作の使い分けを、まごつかずに直感的に行うことができる。特に利用頻度が高く、２つのゾーンに対応してそれぞれ設けられた同一機能の主操作キー、すなわち操作キー３０，３０ａ，３２，４０，４０ａ，４２には有効である。
【００３４】
しかも、線対称に配置した同一機能の主操作キーは他の操作キーと色分けたり、２つのゾーン（リビングルームαとダイニングルームβ）用の操作キーの背景色をそれぞれ異なるものとしたり、２つのゾーン（リビングルームαとダイニングルームβ）用の操作キーを着色線Ｌや凸条５５で区分けしたりすることによって、簡単な構造で、より視覚的に解りやすく区分けされるから、一層、まごつかず、さらには誤りなく、直感的なキー操作で、２系統の床暖房を操作することができる。
【００３５】
図６は、本発明の第２の実施形態を示す。
但し、図６において、第１の実施形態と同一の部分には同一符号を付してその説明を省略する。
本実施形態は、第１の実施形態の変形例で、断面が凹形の凹条５６を用いて副操作面部２２ａの領域Ｕと領域Ｖとを区分けしたものである。このようにしても第１の実施形態と同様の効果を奏する。
【００３６】
なお、本発明は上述したいずれの実施形態に限定されるものではなく、本発明の主旨を逸脱しない範囲内で種々変更して実施しても構わない。例えば上述した実施形態では、２系統の同一機能の主操作キー同士が完全に線対称となるように配置したが、多少ずれても当該主操作キー同士の区別は果たせるので、要は線対称的に配置されていればよい。また上述した実施形態では、前面カバーを有したコントローラ本体を用いた構造を一例に挙げたが、前面カバーの無いコントローラ本体を用いたコントローラ装置にも本発明を適用してもよい。また、上述の実施形態はダイニングルームとリビングルームとを床暖房する場合を一例に挙げたが、これに限らず、隣接する２つのゾーンを１台の床暖房用コントローラ装置で使い分けするものであれば構わない。また上述した実施形態では、電源キーとしての運転操作キーおよび室内の温度設定を行う温度設定キーとしての温度設定操作キーを主操作キーとしたコントローラ装置を一例に挙げたが、運転操作キーあるいは温度設定キーを主操作キーとしたコントローラ装置でもよい。
【図面の簡単な説明】
【００３７】
【図１】本発明の第１の実施形態に係る床暖房用コントローラ装置を、床暖房装置の各部と共に示す斜視図。
【図２】同コントローラ装置を拡大して示す斜視図。
【図３】同じくカバーが開いた状態の操作キー群の配列を示す正面図。
【図４】同じくカバーが閉じた状態の操作キーの配列を示す正面図。
【図５】図４中のIV部を拡大して示す部分斜視図。
【図６】本発明の第２の実施形態の要部を示す部分斜視図。
【符号の説明】
【００３８】
５  パネルヒータ（第１の発熱手段）
６  パネルヒータ（第２の発熱手段）
８  床暖房用コントローラ装置
１０  コントローラ本体
２２，２２ａ  操作面部
３０，３０ａ，４０，４０ａ  運転操作キー（主操作キー、電源キー）
３２，４２  温度設定操作キー（主操作キー、温度設定キー）
５６  凸条
Ｌ  着色線
Ｘ  操作キー群（第１の操作キー群）
Ｙ  操作キー群（第２の操作キー群）
δ  対称軸
【図１】
0005190274.tif 000002
【図２】
0005190274.tif 000003
【図３】
0005190274.tif 000004
【図４】
0005190274.tif 000005
【図５】
0005190274.tif 000006
【図６】
0005190274.tif 000007